(57)【要約】【課題】指を検査対象とし、その静脈パターンを正確に読み取ることができる、指の静脈パターンを利用した認証装置を提供する。【解決手段】本発明にかかる、指の静脈パターンを利用した、第一の認証装置は、検査対象となる指(3)を、対向する一対の傾斜壁(4)で形成された谷状間隙(5)に置くことを特徴とする。該谷状間隙の底部(6)に、該谷状間隙の方向に沿って摺動自在の底板(7)が架設されていてもよい。また、該底板は、摺動始まり側端部(7b)に、衝壁(9)を備えていてもよく、或いは、該指の基端側(3b)が置かれる位置(5b)から該指の先端側(3a)が置かれる位置(5a)へ上向きの傾斜線(X)に沿って、配置されていてもよい。一方、本発明にかかる、指の静脈パターンを利用した、第二の認証装置は、検査対象となる指(3)の先端側(3a)が置かれる位置(8a)が、該指の基端側(3b)が置かれる位置(8b)よりも高くなっている検査対象載置面(8)を備えていることを特徴とする。【選択図】  図１
2006167333.tif 000002
【特許請求の範囲】
【請求項１】
検査対象となる指(3)を、対向する一対の傾斜壁(4)で形成された谷状間隙(5)に置くことを特徴とする指の静脈パターンを利用した認証装置。
【請求項２】
該谷状間隙(5)の底部(6)に、該谷状間隙(5)の方向に沿って摺動自在の底板(7)が架設されている請求項１に記載の指の静脈パターンを利用した認証装置。
【請求項３】
該底板(7)は、摺動始まり側端部(7b)に、衝壁(9)を備えている請求項２に記載の指の静脈パターンを利用した認証装置。
【請求項４】
該底板(7)は、該指(3)の基端側(3b)が置かれる位置(5b)から該指(3)の先端側(3a)が置かれる位置(5a)へ上向きの傾斜線(X)に沿って、配置されている請求項２又は３に記載の指の静脈パターンを利用した認証装置。
【請求項５】
検査対象となる指(3)の先端側(3a)が置かれる位置(8a)が、該指(3)の基端側(3b)が置かれる位置(8b)よりも高くなっている検査対象載置面(8)を備えていることを特徴とする指の静脈パターンを利用した認証装置。
【発明の詳細な説明】
【技術分野】
【０００１】
本発明は、指の静脈パターンを利用して個人の認証を行うために使用する認証装置に関するものである。
【背景技術】
【０００２】
近年、静脈パターンを利用した認証技術が普及しつつあり、それに関連した様々な技術が提案されている。そして、本出願人も、特願２００４−１１５０３３号において、静脈パターンを利用した認証装置、認証システム及び認証方法を提案している。
【０００３】
上記出願にかかる認証装置は、手の平や指等の検査対象を撮像手段の視線軸上に配置するようにし、また光源を、その光軸が撮像手段の視線軸に対し所定角度をなして交差する位置に配置するようにしたもので、光源の配置位置の自由度を高めることにより、利用者の精神的或いは肉体的な負担を低減しながら静脈パターンの読み取り精度を高めることを可能としている。
【特許文献１】特願２００４−１１５０３３号
【発明の開示】
【発明が解決しようとする課題】
【０００４】
上記認証装置における光源は、手の平や指等、様々な検査対象への適用が可能なものとなっているが、装置の寸法や使い勝手等の理由から指を検査対象とした場合、静脈パターンをあまり正確に撮影できないという問題があった。
なお、その問題が生じる理由として、以下のようなことが挙げられる。
【０００５】
まず、人の指は自然な状態において、やや曲がる傾向にあるという点が理由の一つとして挙げられる。すなわち、利用者が特別な注意を払わなければ、設置部に置かれた指の状態はその時の力加減により曲がり具合が異なったものとなり、同じ静脈パターンを撮影することができなくなる。
【０００６】
次に、指を置く形式の装置は、利用者にとって、設置部に対する自分の指の当接状態を認識することが難しいものとなるという点も理由の一つとして挙げられる。すなわち、手の平を置く場合と比較し指を置く場合は設置部へ当接する部分の面積が狭くなり、指をその軸線を中心にして回してもその回転角が微少であれば利用者がそれを認識することが困難となるため、利用者自身は常に同じ状態で指を置いていると認識していても、実際には設置部に置かれる指の状態が撮影の度に異なってしまい、同じ静脈パターンを撮影することができなくなる。
【０００７】
更に、撮像手段と光源が、検査対象となる指の被検査面に関し同じ側に配置された場合は、光源から発せられた光が設置部下面において反射し、撮像手段により撮影された映像に光源が映り込んでしまう一方、撮像手段と光源が、検査対象となる指の被検査面に関し反対側に配置された場合は、載置される指の脂などで汚れた設置部が光源から発せられた光の透過の妨げとなり撮像手段に十分な光が到達しなくなるとういう点も理由として挙げられる。
【０００８】
そこで、本発明の目的は、指を検査対象とし、その静脈パターンを正確に読み取ることができる、指の静脈パターンを利用した認証装置を提供することにある。
【課題を解決するための手段】
【０００９】
本発明にかかる、指の静脈パターンを利用した第一の認証装置（以下、第一の認証装置という）は、検査対象となる指を、対向する一対の傾斜壁で形成された谷状間隙に置くことを特徴とする。
【００１０】
該谷状間隙の底部に、摺動自在の底板が架設されていてもよい。
【００１１】
該底板は、摺動始まり側端部に、衝壁を備えていてもよい。
【００１２】
更に、該底板は、該指の基端側が置かれる位置から該指の先端側が置かれる位置へ上向きの傾斜線に沿って配置されていてもよい。
【００１３】
なお、本発明において、指の基端側が置かれる位置（以下基点という）から指の先端側が置かれる位置（以下先端点という）へ上向きとなっている状態とは、ある基準面と平行でかつ基点を含む平面に対し、先端点が認証装置の設置面から離れる方向に位置している状態をいう。例えば、認証装置が水平に設置される場合、前記基準面は認証装置が設置される水平面となる。従って、この場合の先端点は、基点を含む平面に対し鉛直方向上側に位置することになる。一方、認証装置が垂直に設置される場合、前記基準面は認証装置が設置される垂直面となる。従って、この場合の先端点は、基点を含む平面に対し水平方向の利用者に近づく側に位置することになる。また、検査対象となる指だけを載置する傾斜壁の周囲に検査対象とならない手の平の他の部位を載置する台が設けられた形式のものである場合、前記基準面は検査対象となる指を除く他の部位を載置する台の表面となる。従って、この場合の先端点は、手の平全体に対し鉛直方向上側に位置することになる。
【００１４】
本発明にかかる、指の静脈パターンを利用した第二の認証装置（以下、第二の認証装置という）は、検査対象となる指の先端側が置かれる位置が、該指の基端側が置かれる位置よりも高くなっている検査対象載置面を備えていることを特徴とする。
【００１５】
なお、本発明において、指の先端側が置かれる位置（先端点）が指の基端側が置かれる位置（基点）よりも高くなっている状態とは、上述の、基点から先端点へ上向きとなっている状態と同様、ある基準面と平行でかつ基点を含む平面に対し、先端点が認証装置の設置面から離れる方向に位置している状態をいう。
【発明の効果】
【００１６】
本発明にかかる第一の認証装置によれば、谷状間隙を形成する傾斜壁が指を置く位置の側面を決めるガイドとしての機能を果たす。この際、利用者は、指の側方に当接するガイドの存在により、指がその軸線を中心として回転した状態であることを認識することが可能となる。そのため、利用者に対し指の回転角の調整を促すことで、谷状間隙に置かれる指の状態はほぼ同じものとなり、指の静脈パターンを正確に読み取ることができる。また、指を置く部分の形状を谷状としたことにより、様々な太さの指に対応することも可能となる。
【００１７】
上記第一の認証装置において、谷状間隙の底部に摺動自在の底板が架設されていれば、未使用時には底板で谷状間隙の底を塞いで装置の内部に埃等が侵入することを防止できるとともに、使用時には底板を押して摺動させながら谷状間隙に指を置くことにより、撮像手段と指の間の底板を排除することが可能となる。そのため、撮像手段と光源が、検査対象となる指の被検査面に関し同じ側に配置された場合は、光源から発せられた光が底板において反射し、撮像手段により撮影された映像に光源が映り込んでしまうことを防止し、また、撮像手段と光源が、検査対象となる指の被検査面に関し反対側に配置された場合は、載置される指の脂などで汚れた底板が光源から発せられた光の透過の妨げとなり撮像手段に十分な光が到達しなくなることを防止し、指の静脈パターンをより正確に読み取ることができる。なお、指が置かれる谷状間隙は、底部側でその幅が狭くなっており所定位置から底部側への指の移動を規制しているため、指の撮像手段への接触防止を図ることができる。
【００１８】
また、底板が、摺動始まり側端部に衝壁を備えていれば、指の先端を衝壁に当接させて摺動させることにより、摺動始まり側端部を撮像手段と指の間に残すことなく底板を完全に排除することができる。
【００１９】
更に、底板が、指の基端側が置かれる位置から指の先端側が置かれる位置へ上向きの傾斜線に沿って配置されていれば、底板を押して摺動させながら谷状間隙に指を置くと、その指は、先端の位置が基端よりも高くなり、やや反り返った曲がりのない状態に矯正される。そのため、指の曲がりによる静脈パターンの撮像への影響が無くなり、指の静脈パターンを更に正確に読み取ることができる。
【００２０】
本発明にかかる第二の認証装置によれば、検査対象載置面において、指の先端側が置かれる位置を指の基端側が置かれる位置よりも高くしたことにより、検査対象となる指は検査対象載置部に置いた時点でやや反り返り曲がりのない状態に矯正される。そのため、指の曲がりによる静脈パターンの撮像への影響が無くなり、指の静脈パターンを正確に読み取ることができる。
【発明を実施するための最良の形態】
【００２１】
図１〜３は、本発明にかかる第一の認証装置の撮像にかかる要部の具体例を概念的に示したもので、図１（ａ）は使用状態の斜視図、図１（ｂ）は使用状態の正断面図、図２は指が置かれる前の状態の斜視図、図３は底板を押しながら指を置いている途中の状態の斜視図である。
【００２２】
この認証装置では、撮像手段１と光源２が、検査対象となる指３の被検査面３’に関し同じ側に配置されている。そして、指３を、対向する一対の傾斜壁４で形成された谷状間隙５に置き、光源２で指３を斜め測方位置から照らすことで、その静脈パターンを撮像手段１で撮影することができる。なお、ケーシング等撮像に直接関与しないその他の部分の構成については、公知技術をそのまま適用することができることから、説明を省略する。
【００２３】
この認証装置では、谷状間隙５を形成する傾斜壁４が指３を置く位置の側面を決めるガイドとしての機能を果たす。この際、利用者は、指３の側方に当接するガイドの存在により、指３がその軸線Ｙを中心として回転した状態であることを認識することが可能となる。そのため、利用者に対し指３の回転角の調整を促すことで、谷状間隙５に置かれる指の状態はほぼ同じものとなり、指３の静脈パターンを正確に読み取ることができる。また、指を置く部分の形状を谷状としたことにより、様々な太さの指に対応することも可能となる。
【００２４】
谷状間隙５の底部６に、谷状間隙５の方向に沿って摺動自在の底板７が架設されている。なお、底板７の傾斜壁４との当接部には、谷状間隙５の方向に沿って案内１０が延設されており、底板７の設置位置からの脱落防止が図られている。
こうすると、未使用時には図２に示すように底板７で谷状間隙５の底を塞いで装置の内部に埃等が侵入することを防止できるとともに、使用時には図３に示すように底板７を押して摺動させながら谷状間隙５に指３を置くことにより、撮像手段１と指３の間の底板７を排除することが可能となる。そのため、光源２から発せられた光が底板７において反射し、撮像手段１により撮影された映像に光源が映り込んでしまうことを防止し、指３の静脈パターンをより正確に読み取ることができる。また、谷状間隙５は、底部６側でその幅が狭くなっており所定位置から底部６側への指の移動を規制しているため、指３の撮像手段１への接触防止を図ることができる。
【００２５】
底板７は、摺動始まり側端部７ｂに、衝壁９を備えている。
こうすると、指３の先端を衝壁９に当接させて摺動させることにより、摺動始まり側端部７ｂを撮像手段１と指３の間に残すことなく底板７を完全に排除することができる。
【００２６】
また、底板７は、指３の基端側３ｂが置かれる位置５ｂから指３の先端側３ａが置かれる位置５ａへ上向きの傾斜線Ｘに沿って配置されている。
こうすると、底板７を押して摺動させながら指３を谷状間隙５に置いた際、先端３ａの位置が基端３ｂよりも高くなり、やや反り返った曲がりのない状態に矯正される。そのため、指３の曲がりによる静脈パターンの撮像への影響が無くなり、指３の静脈パターンを更に正確に読み取ることができる。
【００２７】
撮像手段１と光源２は、検査対象となる指３の被検査面３’に関し同じ側に配置されているが、図４に示すように、被検査面３’に関し反対側に配置されてもよい。図４は、本発明にかかる第一の認証装置の撮像にかかる要部の他の具体例を概念的に示した、使用状態の正断面図である。なお、図１〜３と実質的に同一の部分には同符号を付し、説明を省略する。
この場合にも、上記と同様の効果を得ることができる。
【００２８】
図５は、本発明にかかる第二の認証装置の撮像にかかる要部の具体例を概念的に示した斜視図である。
この認証装置は、所定の設置面に備え付けられる形式で、検査対象となる指３だけを載置する検査対象載置面８の周囲に、検査対象とならない手の平の他の部位を載置する台９が設けられている。また、撮像手段１と光源２が、検査対象となる指３の被検査面に関し同じ側、すなわち、検査対象載置面８の下側に配置されている。更に、検査対象載置面８において、指３の先端側３ａが置かれる位置８ａは、台９の表面と平行な、指３の基端側３ｂが置かれる位置８ｂを含む面Ｚの上方に位置している。すなわち、位置８ａは位置８ｂよりも高くなっている。
【００２９】
この認証装置によれば、検査対象となる指３は検査対象載置面８に置いた時点でやや反り返り曲がりのない状態に矯正される。そのため、指３の曲がりによる静脈パターンの撮像への影響が無くなり、指３の静脈パターンを正確に読み取ることができる。
【図面の簡単な説明】
【００３０】
【図１】本発明にかかる第一の認証装置の撮像にかかる要部の具体例を概念的に示したもので、（ａ）は使用状態の斜視図、（ｂ）は使用状態の正断面図である。
【図２】指が置かれる前の状態を示す同要部の斜視図である。
【図３】底板を押しながら指を置いている途中の状態を示す同要部の斜視図である。
【図４】本発明にかかる第一の認証装置の撮像にかかる要部の他の具体例を概念的に示した、使用状態の正断面図である。
【図５】本発明にかかる第二の認証装置の撮像にかかる要部の具体例を概念的に示した斜視図である。
【符号の説明】
【００３１】
３    指
３ａ  先端側
３ｂ  基端側
４    傾斜面
５    谷状隙間
５ａ、５ｂ  位置
６    底部
７    底板
７ｂ  摺動始まり側
８    検査対象載置面
８ａ、８ｂ  位置
Ｘ    傾斜線
【図１】
2006167333.tif 000003
【図２】
2006167333.tif 000004
【図３】
2006167333.tif 000005
【図４】
2006167333.tif 000006
【図５】
2006167333.tif 000007